(57)【要約】【課題】マルチトラックレコーダにおいて、モノラルトラックであるかステレオであるかによらずに簡易に入力ソースを割り当てることができるようにする。【解決手段】複数のトラック１−４のうち、トラック３，４をモノラルとステレオのいずれかのトラックタイプに設定可能なマルチトラックレコーダ。トラックタイプをメモリに記憶し、トラック毎に入力ソースを割り当てる際に、モノラルとステレオで、可能な入力ソースの選択肢を変化させて表示部２４に表示する。【選択図】図６
2014044760.tif 000002
【特許請求の範囲】
【請求項１】
複数のトラックに音声信号を記録するマルチトラックレコーダであって、
複数のトラックの少なくともいずれかのトラックを、モノラルとステレオのいずれかのトラックタイプに設定可能な設定手段と、
前記設定手段で設定されたトラックタイプを記憶する記憶手段と、
トラック毎に入力ソースを割り当てる制御手段であって、前記記憶手段に記憶された前記トラックタイプに応じ、モノラルとステレオとで割り当て可能な入力ソースを変化させて提示する制御手段と、
を備えることを特徴とするマルチトラックレコーダ。
【請求項２】
請求項１に記載のマルチトラックレコーダであって、前記制御手段は、モノラルトラックの場合に、割り当て可能な入力ソースとして単独の入力ソースを提示し、ステレオトラックの場合に、割り当て可能な入力ソースとして２つの入力ソースのペアを提示する
ことを特徴とするマルチトラックレコーダ。
【発明の詳細な説明】
【技術分野】
【０００１】
本発明は、複数のトラックに音声信号を記録するマルチトラックレコーダに関する。
【背景技術】
【０００２】
従来から、複数のトラックに音声信号を記録するマルチトラックレコーダが知られている。マルチトラックレコーダを用いることで、例えばエレキギターを使ってリズムギターパートをトラック１、リードギターパートをトラック２に記録し、内蔵マイクを使ってボーカル音声をトラック３に記録し、これらをミックスダウンしてステレオ信号を生成して記録する等が可能である。
【０００３】
マルチトラックレコーダとしては、できるだけ多くのトラックを備えて音声信号を記録できることが望ましい一方、携帯性を考慮して装置をコンパクト化する場合にはトラック数を限定せざるを得ない状況も生じる。このような場合、トラック数はある一定数、例えば４トラックに限定するとともに、そのうちのいくつかのトラックをモノラルに固定するのではなく、モノラルあるいはステレオのいずれにも設定可能としてユーザの利便性を高めることが考えられる。
【０００４】
下記の特許文献１には、より多彩な収音を行うことを目的として、主軸をそれぞれ独立に変更可能な複数の指向性マイクロフォンの主軸の向きと音声信号処理装置との組み合わせ次第で多彩な収音を行うことが記載されている。
【先行技術文献】
【特許文献】
【０００５】
【特許文献１】特開２００７−１６５９８４号公報
【発明の概要】
【発明が解決しようとする課題】
【０００６】
トラック数を一定数に限定するとともに、そのうちのいくつかのトラックをモノラルあるいはステレオのいずれにも設定可能とする構成の場合、トラックタイプに応じて入力ソースを切り替える必要がある。すなわち、音声信号を記録するトラックがモノラルの場合にはそれに応じた１つの入力ソースを設定し、音声信号を記録するトラックがステレオの場合にはそれに応じた複数の入力ソースを設定する必要があるが、どのトラックをモノラルあるいはステレオに設定されているかをユーザが正しく把握していなければならず、設定もれや設定ミスが生じるおそれがある。もちろん、専用画面に切り替えて各トラックのトラックタイプをその都度把握できるように構成することも可能であるが、手間がかかり操作性が低下する問題がある。
【０００７】
本発明の目的は、複数のトラックの少なくともいずれかのトラックをモノラルあるいはステレオのいずれかに設定可能なマルチトラックレコーダにおいて、トラックタイプに応じて適当な入力ソースを容易かつ確実に設定可能とすることにある。
【課題を解決するための手段】
【０００８】
本発明は、複数のトラックに音声信号を記録するマルチトラックレコーダであって、複数のトラックの少なくともいずれかのトラックを、モノラルとステレオのいずれかのトラックタイプに設定可能な設定手段と、前記設定手段で設定されたトラックタイプを記憶する記憶手段と、トラック毎に入力ソースを割り当てる制御手段であって、前記記憶手段に記憶された前記トラックタイプに応じ、モノラルとステレオとで割り当て可能な入力ソースを変化させて提示する制御手段とを備えることを特徴とする。
【０００９】
本発明の１つの実施形態では、前記制御手段は、モノラルトラックの場合に、割り当て可能な入力ソースとして単独の入力ソースを提示し、ステレオトラックの場合に、割り当て可能な入力ソースとして２つの入力ソースのペアを提示することを特徴とする。
【発明の効果】
【００１０】
本発明によれば、トラックタイプに応じて、割り当て可能な入力ソースが自動的に提示されるため、トラックタイプによらずに簡易にかつ確実に入力ソースを割り当てることができ、操作性が向上するとともにユーザの負担が軽減され、かつ、入力ソースの設定ミス等が防止される。
【図面の簡単な説明】
【００１１】
【図１】実施形態におけるマルチトラックレコーダの構成図である。
【図２】実施形態におけるマルチトラックレコーダの平面図である。
【図３】実施形態におけるマルチトラックレコーダの正面図である。
【図４】実施形態におけるマルチトラックレコーダの背面図である
【図５】トラックタイプの設定画面を示す説明図である。
【図６】入力ソースの設定画面を示す説明図である。
【発明を実施するための形態】
【００１２】
以下、図面に基づき本発明の実施形態について説明する。
【００１３】
図１に、本実施形態におけるマルチトラックレコーダ１の構成ブロック図を示す。音声信号入力回路１０は、複数の入力ポートを備え、複数の音源（ソース）からの音声信号を入力する。複数の音声信号を例示すると、ギター、ボーカル、ドラム等である。本実施形態では、音声信号入力回路１０は、２個の内蔵マイク及び２個の入力ポートを備え、音声信号を入力する。内蔵マイクと入力ポートは相互に切替可能である。音声信号入力回路１０から入力された音声信号は、バス１６を介してＤＳＰ（デジタルシグナルプロセッサ）１４に供給される。
【００１４】
ＤＳＰ１４は、ＣＰＵ３２の制御の下で、音声信号入力回路１０から供給された複数チャンネルの音声信号に対して、各種のデジタル処理、例えばエフェクト処理やイコライジング処理、ミキシング処理を施し、バス１８を介してレコーダ３４に記録する。レコーダ３４の記録媒体は、ＣＤ−Ｒ／ＲＷ、ＤＶＤ−Ｒ／ＲＷ等の光ディスクやハードディスク、フラッシュメモリ媒体等である。ＤＳＰ１４の処理には、操作子２０の操作に応じて各音声信号のパン（ＰＡＮ）や音量レベルを調整する処理も含まれる。
【００１５】
操作子２０は、マルチトラックレコーダ１の操作面に設けられる。操作子２０は、各種のキースイッチや選択ボタン、メニューボタン、決定ボタン、パン（ＰＡＮ）つまみ、レベルつまみ等から構成される。ユーザは、操作子２０を操作することで、各音声信号を、複数トラックの少なくとも１つのトラックに割り当てる。操作子２０の操作状態は検出回路２２で検出される。検出回路２２は、バス１８を介して操作子２０の操作状態検出信号をＣＰＵ３２に供給する。
【００１６】
ＣＰＵ３２は、マルチトラックレコーダの全体を統括制御する。ＣＰＵ３２は、フラッシュＲＯＭ２８に記憶されたプログラムに従い、ワーキングメモリとしてのＲＡＭ３０を用いて各種処理を実行する。具体的には、検出回路２２からの操作状態検出信号に基づいて、複数チャンネルの各音声信号を複数トラックの少なくとのいずれかのトラックに割り当てる。例えば、トラックがトラック１〜トラック４まで存在する場合に、チャンネルＡをトラック１に割り当て、チャンネルＢをトラック２に割り当て、チャンネルＣをトラック４に割り当てる等である。本実施形態において、このような各チャンネルをトラックに割り当てた結果としての、各チャンネルと各トラックとの対応関係を「アサイン情報」と称する。また、ＣＰＵ３２は、各種の情報を表示回路２６に供給する。表示回路２６は、各種情報を表示部２４に表示する。
【００１７】
ＣＰＵ３２は、ユーザによる操作子２０の操作に応じて各種メニュー画面や設定画面を表示すべく表示回路２６に指令し、表示回路２６は、ＣＰＵ３２からの情報に応じてメニュー画面や設定画面を表示部２４に表示する。メニュー画面には、トラック１〜トラック４のそれぞれのトラックを、モノラルにするかステレオにするかのメニュー画面が含まれる。すなわち、本実施形態では、トラック１〜トラック４の少なくともいずれかは、モノラルにするかステレオにするかを選択可能に構成されており、ユーザは所望のトラックをモノラル、ステレオのいずれかに設定する。本実施形態におけるマルチトラックレコーダは、トラック１及びトラック２はモノラルに固定され、トラック３及びトラック４がモノラルあるいはステレオのいずれかに設定可能であるとする。設定画面には、あるトラックに記録された音声信号を別のトラックに複製する（クローンあるいはコピー）設定画面が含まれる。ユーザは、設定画面において操作子２０を操作することで複製元のトラック及び複製先のトラックを選択する。
【００１８】
また、ＣＰＵ３２は、各トラック毎に割り当てられた音声信号のレベルを棒グラフ形式（レベルメータ）で表示すべく表示回路２６に指令し、表示回路２６は、ＣＰＵ３２からの情報に応じてレベルメータ画像を表示部２４に表示する。
【００１９】
さらに、ＣＰＵ３２は、検出回路２２からの操作状態検出信号に応じ、レコーダ３４に記録された音声信号を読み出してＤＳＰ１４に供給し、ＤＳＰ１４はバス及び音声信号出力回路１２を介して音声信号を外部に出力する。音声出力回路１２は、アナログ出力ポートやデジタル出力ポート等の各種出力ポートを有する。
【００２０】
図２に、本実施形態におけるマルチトラックレコーダ１の平面図を示す。また、図３及び図４に、それぞれマルチトラックレコーダの正面図及び背面図を示す。
【００２１】
マルチトラックレコーダ１の操作面には、各種操作子２０と、表示部２４が設けられる。操作子２０として、インプットセッティングキー２０ａ、アサインキー２０ｂ、入力チャンネル用レベルつまみ２０ｃ、マスターレベルつまみ２０ｄ、パン（ＰＡＮ）つまみ２０ｅ、レベルつまみ２０ｆ、録音ファンクションキー２０ｇ、ホームキー２０ｈ、メニューキー２０ｉ、データホイール２０ｊ、停止キー２０ｋ、再生キー２０ｍ、録音キー２０ｎが設けられる。
【００２２】
インプットセッティングキー２０ａは、入力ソースを選択するためのキーであり、ユーザはこのキーを操作することで入力ソースを内蔵マイクとするか、あるいは入力ポートとするかを切り替える。本実施形態におけるマルチトラックレコーダ１は、後述する入力チャンネル用レベルつまみ２０ｃに示されるように、入力Ａ及び入力Ｂの２つの入力チャンネルを有し、各入力チャンネルにおいて個別に入力ソースを切り替えることが可能となっている。すなわち、入力Ａチャンネルについて、内蔵マイクとするか入力ポートとするかを切り替えることができ、かつ、入力Ｂチャンネルについても、内蔵マイクとするか入力ポートとするかを切り替えることができる。
【００２３】
アサインキー２０ｂは、トラック１〜トラック４の各トラックに入力音声信号をアサインするためのキーであり、ユーザはこのキーを操作することで各トラックに音声信号を割り当てて録音する。
【００２４】
入力チャンネル用レベルつまみ２０ｃは、各入力ソースのレベルを調整するためのつまみであり、ユーザはこのつまみを操作することで各入力ソースのレベルを調整する。例えば、入力Ａチャンネルの入力ソースを内蔵マイクに設定した場合、このつまみを用いて内蔵マイクから入力される音声信号のレベルを調整する。
【００２５】
マスターレベルつまみ２０ｄは、ステレオ出力信号のモニタレベルを調整するためのつまみである。
【００２６】
パン（ＰＡＮ）つまみ２０ｅは、トラック１〜トラック４の各トラックに設けられ、各トラックの音声信号のステレオミックスにおける定位（ＰＡＮ）を調整するつまみである。
【００２７】
レベルつまみ２０ｆは、トラック１〜トラック４の各トラックに設けられ、各トラックの音声信号のレベルを調整する。
【００２８】
録音ファンクションキー２０ｇは、トラック１〜トラック４の各トラックに設けられ、ユーザはこのキーを操作することで該当トラックが録音待機状態に移行する。なお、録音待機状態において、再生キー２０ｍと録音キー２０ｎを操作することで、録音待機状態のトラックに音声信号が記録される。
【００２９】
ホームキー２０ｈは、表示部２４にホーム画面を表示するためのキーである。ホーム画面は、マルチトラックレコーダ１の基本画面であり、マルチトラックレコーダ１の電源をオンした直後に表示される画面である。他の画面を表示中にホームキー２０ｈを操作すると、表示部２４にホーム画面が表示される。ホーム画面には、レコーダモータや電源状態、レコーダのトランスポート状態、レコーダのタイムカウンタ、トラック１〜トラック４の状態やレベルメータ、ステレオ出力のレベルメータ等が表示される。
【００３０】
メニューキー２０ｉは、表示部２４にメニュー画面を表示するためのキーである。メニュー画面には、インフォメーション、トラック編集、データバックアップ、チューナ等が含まれる。トラック編集には、クローントラック、クリーンアウト、サイレンス、カット、オープン等が含まれる。クローントラックは、トラックを複製するメニューであり、クリーンアウトはトラックを削除するメニューであり、サイレンスは部分的に消去するメニューであり、カットは部分的に削除するメニューであり、オープンは無音を挿入するメニューである。
【００３１】
データホイール２０ｊは、メニュー操作において、各種パラメータの値を変化させる、あるいは項目を選択するためのホイールである。
【００３２】
一方、図３の正面図に示すように、マルチトラックレコーダ１の正面には、左右に内蔵マイク３６，３８が設けられる。通常、内蔵マイク３６、３８は、ステレオ録音の際の左右のマイク、すなわち内蔵マイク３６をＬチャンネル用、内蔵マイク３８をＲチャンネル用として用いられるが、これに限定されるわけではなく、内蔵マイク３６あるいは内蔵マイク３８のいずれかのみを用いる、あるいは内蔵マイク３６をＲチャンネル用、内蔵マイク３８をＬチャンネル用に用いてもよい。内蔵マイク３６，３８から入力された音声信号のレベルは、入力チャンネル用レベルつまみ２０ｃで調整される。
【００３３】
また、図４の背面図に示すように、マルチトラックレコーダ１の背面には、入力ポート４０，４２が設けられる。入力ポート４０，４２から入力された音声信号のレベルも、同様に入力チャンネル用レベルつまみ２０ｃで調整される。
【００３４】
ユーザは、これらの操作子２０を用いて、所望のチャンネル及びトラックを選択し、音声信号を所望のトラックに割り当てることができる。例えば、入力Ａチャンネルとして入力ポート４０を選択してギター音声信号を入力し、入力Ｂチャンネルとして入力ポート４２を選択してドラム音声信号を入力し、アサインキー２０ｂを操作して
チャンネルＡ（ギター音声信号）−トラック１
チャンネルＢ（ドラム）−トラック２
等とアサインする。アサイン情報は、ＲＡＭ３０に記憶される。また、ユーザは、これらの操作子２０を用いて、トラック３及びトラック４に関して、モノラルとするかステレオにするかを切り替えて設定する。例えば、
トラック３−ステレオ
トラック４−モノラル
等である。具体的には、トラック３及びトラック４は、それぞれ２つのチャンネルから構成され、モノラルに設定された場合には２つのチャンネルのいずれか一方のみの有効とし、ステレオに設定された場合には２つのチャンネルのいずれも有効としてＬチャンネル及びＲチャンネルとする。従って、トラック３をステレオに設定した場合、トラック３にはＬチャンネル用音声信号とＲチャンネル用音声信号が記録されることになる。
【００３５】
次に、本実施形態における、トラック３及びトラック４のモノラル／ステレオの設定と、入力ソースの設定について具体的に説明する。
【００３６】
図５に、ユーザがメニューキー２０ｉとデータホイール２０ｊを操作して、トラックタイプを選択した場合に表示部２４に表示される画面例を示す。ＣＰＵ３２は、メニューキー２０ｉとデータホイール２０ｊの操作に応じ、トラック３とトラック４のタイプ、すなわちモノラルとするかステレオとするかの設定画面を表示部２４に表示する。画面には、トラック３、トラック４それぞれにおいて、モノラルとステレオの選択肢が表示されており、ユーザはデータホイール２０ｊを操作していずれかを選択する。図５では、ユーザがトラック３をステレオ、トラック４をモノラルに設定した場合を示す。トラック３及びトラック４のタイプ情報は、ＲＡＭ３０に記憶される。なお、トラック１及びトラック２は、モノラルで固定であるため、そのタイプ情報をＲＡＭ３０に記憶しておく必要はないが、トラック１〜トラック４の全てのタイプ情報をまとめてテーブルとしてＲＡＭ３０に記憶してもよい。モノラルの識別子をＭ、ステレオの識別子をＳとすると、トラック３のみをステレオに設定する場合、
トラック１：Ｍ
トラック２：Ｍ
トラック３：Ｓ
トラック４：Ｍ
等である。
【００３７】
また、ＣＰＵ３２は、ユーザがインプットセッティングキー２０ａを操作すると、これに応じて表示部２４に入力設定画面を表示する。
【００３８】
図６に、表示部２４に表示される入力設定画面の一例を示す。トラック１〜トラック４毎に、入力ソースとして選択できる選択肢が表示される。なお、この画面の前提として、入力Ａチャンネル及び入力Ｂチャンネルともに入力ソースが内蔵マイクか入力ポートのいずれかが既に設定されているものとし、例えば内蔵マイクが設定されているものとする。また、図３の正面図に示すように、向かって左側の内蔵マイクをマイクＡ、向かって右側の内蔵マイクをマイクＢと称するものとする。
【００３９】
トラック１はモノラルトラックであり、入力ソースとして１つのソースしかアサインすることができないから、ＣＰＵ３２は、トラック１のトラックタイプがモノラルであることに応じて、選択肢としてマイクＡとマイクＢを選択可能に表示する。図では、マイクＡが選択され設定されたことを示す。
【００４０】
トラック２もモノラルトラックであり、入力ソースとして１つのソースしかアサインすることができないから、ＣＰＵ３２は、トラック２のトラックタイプがモノラルであることに応じて、選択肢としてマイクＡとマイクＢを選択可能に表示する。図では、マイクＢが選択され設定されたことを示す。
【００４１】
トラック３はステレオに設定されており、入力ソースとして２つのソースをアサインする必要があることから、ＣＰＵ３２は、トラック３のトラックタイプがステレオであることに応じて、選択肢としてマイクＡとマイクＢの組み合わせのみを表示する。図において、ＩＮ  Ａ−Ｂとあるのは、トラック３のＬチャンネルにマイクＡ、ＲチャンネルにマイクＢをアサインすることを意味する。ユーザは、マイクＡとマイクＢの組み合わせ（ペア）しか選択できないので、これを選択して設定することで、ステレオトラックであるにもかかわらずマイクＡのみを単独で選択してしまう、あるいはマイクＢのみを単独で選択してしまう等の設定ミスがない。
【００４２】
トラック４はモノラルに設定されており、入力ソースとして１つのソースしかアサインすることができないから、ＣＰＵ３２は、トラック４のトラックタイプがモノラルであることに応じて、選択肢としてマイクＡとマイクＢを選択可能に表示する。図では、マイクＡが選択され設定されたことを示す。
【００４３】
このように、本実施形態では、ＣＰＵ３２が、ＲＡＭ３０に記憶されたトラック１〜トラック４のトラックタイプを参照し、トラックタイプに応じて可能な入力ソースの選択肢を自動的に表示部２４に表示するので、ユーザは可能な選択肢の中から所望の入力ソースを選択するだけでよいので、入力ソースの設定が容易化される。特に、トラック１〜トラック４のうち、特定のトラック（本実施形態ではトラック３）のみをステレオトラックに設定した場合においても、ＣＰＵ３２がこのトラックタイプに応じて自動的に選択肢を変化させて表示するので、入力ソースの設定し忘れや設定ミスを確実に防止できる。
【００４４】
本実施形態では、トラック３のみがステレオに設定された場合について説明したが、トラック４のみがステレオに設定された場合、あるいはトラック３、トラック４がともにステレオに設定された場合も同様にトラックタイプに応じて選択肢が自動的に変化することは言うまでもない。
【００４５】
トラックタイプに応じた選択肢を列挙すると、以下の通りである。
トラックタイプがモノラルの場合：マイクＡあるいはマイクＢ
トラックタイプがステレオの場合：マイクＡとマイクＢのペア
【００４６】
なお、トラックタイプがステレオの場合、ＬチャンネルとしてマイクＡ、ＲチャンネルとしてマイクＢの他に、ＬチャンネルとしてマイクＢ、ＲチャンネルとしてマイクＡとすることもあり得、あるいはＬチャンネルとＲチャンネルをともにマイクＡとする、あるいはマイクＢとすることもあり得るので、トラックタイプがステレオの場合、ＣＰＵ３２は以下のように選択肢を表示してもよい。
マイクＡとマイクＢのペア（図６においてＩＮ  Ａ−Ｂの表示）
マイクＢとマイクＡのペア（図６においてＩＮ  Ｂ−Ａの表示）
マイクＡとマイクＡのペア（図６においてＩＮ  Ａ−Ａの表示）
マイクＢとマイクＢのペア（図６においてＩＮ  Ｂ−Ｂの表示）
【００４７】
本実施形態では、トラック１〜トラック４を有するマルチトラックレコーダを例示したが、これに限定されるものではなく、５トラック以上を有するマルチトラックレコーダにも同様に適用できる。
【００４８】
また、本実施形態では、トラック３，４のトラックタイプ、あるいはトラック１〜トラック４の全てのトラックタイプをＲＡＭ３０に記憶しているが、フラッシュＲＯＭ２８等の不揮発性メモリに記憶し、電源をオフした後でもトラックタイプの情報を保持するように構成してもよい。
【００４９】
また、本実施形態では、入力ソースが内蔵マイクの場合について説明したが、入力ポートの場合も同様であり、マイクＡを入力ポートＡに置換し、マイクＢを入力ポートＢに置換すればよい。
【符号の説明】
【００５０】
１  マルチトラックレコーダ、１０  音声信号入力回路、１２  音声信号出力回路、１４  ＤＳＰ、１６，１８  バス、２０  操作子、２２  検出回路、２４  表示部、２６  表示回路、２８  フラッシュＲＯＭ、３０  ＲＡＭ、３２  ＣＰＵ、３４  レコーダ。
【図１】
2014044760.tif 000003
【図２】
2014044760.tif 000004
【図３】
2014044760.tif 000005
【図４】
2014044760.tif 000006
【図５】
2014044760.tif 000007
【図６】
2014044760.tif 000008